(57)【要約】【課題】簡易な構造でありながら、筐体内の水を排出することができ、かつ、筐体内の機器類に筐体外部からの水が直接に当たったり、虫や塵芥等が入り込むのを防止できる水抜き構造を提供する。【解決手段】水抜き構造１は、筐体の底壁１００に設けられた水抜き穴１０１から水を排出する水抜き構造であって、水抜き穴１０１から排出される水が連結部から漏れないように水抜き穴１０１の内壁又は底壁１００の筐体外面に管の上端部が連結されて設置される排水管１０と、排水管１０の管内に下端部が位置するように、かつ、水抜き穴１０１から排出される水が連結部から漏れないように、水抜き穴１０１の内壁、底壁１００の筐体外面又は排水管１０の管内に、開口した上端部が連結されて設置され、下端部が通常時には閉じており、弁の内部に所定量の水が溜まることにより開放されて水を排出する弁２０とを備える。【選択図】図１
2013065788.tif 000002
【特許請求の範囲】
【請求項１】
筐体の底壁に設けられた水抜き穴から水を排出する水抜き構造であって、
前記水抜き穴の内壁又は前記底壁の筐体外面に上端部が連結されて設置される排水管と、
前記排水管の管内に下端部が位置し、前記水抜き穴の内壁、前記底壁の筐体外面又は前記排水管の管内に、開口した上端部が連結されて設置される弁とを備え、
前記弁は、前記下端部が通常時には閉じており、前記弁の内部に所定量の水が溜まることにより開放されて水を排出することを特徴とする水抜き構造。
【請求項２】
前記弁は、中空のラッパ形状、中空の円錐形状、又は中空の多角錐形状であることを特徴とする請求項１に記載の水抜き構造。
【請求項３】
前記排水管は、当該排水管の排出穴を上方向へ向ける第１のターン部を有しており、前記排出穴が前記弁の最下部よりも低いことを特徴とする請求項１又は請求項２に記載の水抜き構造。
【請求項４】
前記排水管は、前記第１のターン部により上方向へ向けられた前記排出穴を下方向へ向ける第２のターン部を有しており、前記第２のターン部の最上部が前記弁の最下部よりも低いことを特徴とする請求項３に記載の水抜き構造。
【請求項５】
前記弁は、前記下端部の先端にスリットが設けられていることを特徴とする請求項１乃至４の何れか１項に記載の水抜き構造。
【請求項６】
前記水抜き穴を塞ぐことなく覆うように前記底壁の筐体内面に設置され、かつ前記水を排出するための１つ又は複数の開口部を側壁に有するケースを備えることを特徴とする請求項１乃至５の何れか１項に記載の水抜き構造。
【発明の詳細な説明】
【技術分野】
【０００１】
本発明は、筐体内の水を排出する水抜き構造に関する。
【背景技術】
【０００２】
屋外へ設置する機器類の筐体には、結露等により筐体内に溜まった水を筐体外へ排出するため、筐体の底壁に水抜き穴が設けられていることが多い。
【０００３】
従来の水抜き穴は、筐体の底壁に穴を開けただけの構造であるため、下方向から水抜き穴に強い勢いで当たった水は筐体内に浸入し、内部の回路基板等の部品に直接に当たってしまい、故障の原因となる恐れがある。また、虫や塵芥がこの水抜き穴から筐体内に入り込み、内部の回路基板等の部品に悪影響を及ぼす可能性もある。
【０００４】
そこで、上記問題に対処するべく、筐体底壁の水抜き穴に設けられる水抜き穴構造に関する発明がなされている（例えば、特許文献１及び特許文献２参照）。
【０００５】
特許文献１には、ボックス内に浸入した水をボックスの外方へ排出する水抜き穴の水抜き構造であって、水抜き穴の開口周縁に密着・当接して組み付けられて水抜き穴を閉鎖すると共にボックス内に浸入した所定量の水の重さで水抜き穴を開放しボックス内に浸入した水を外方へ排出可能とする弁体を備えた水抜き穴構造が開示されている。
【０００６】
また、特許文献２には、ボックス内に浸入または発生した水をボックスの外方へ排出する水抜き穴の水抜き穴構造であって、空気溜まり部を有し前記ボックス内に浸入した水がボックスの外方へ排出可能にボックス内外を連通した状態で前記水抜き穴に設けられる弁体を備えていることを特徴とする水抜き穴構造が開示されている。
【先行技術文献】
【特許文献】
【０００７】
【特許文献１】特開２００２−３５３６４４号公報
【特許文献２】特開２００２−３５４６３０号公報
【発明の概要】
【発明が解決しようとする課題】
【０００８】
しかしながら、特許文献１等に記載の水抜き穴構造によれば、ボックス内に浸入した水をボックスの外方へ排出することができると共に、ボックス内への水抜き穴からの水の浸入を阻止することができると考えられるが、水抜き穴構造が複雑な構造であり、製造上の困難性を伴う。また、複雑な構造ゆえに、詰まり等の機能障害が生じる可能性が高い。
【０００９】
一方、水抜き穴に金網を設けるだけのような簡易な水抜き穴構造では、水の排出機能は果たせても、外部からの水の浸入や虫等が入り込むのを防止することが難しい。
【００１０】
そこで、本発明の目的は、簡易な構造でありながら、筐体内の水を排出することができ、かつ、筐体内の機器類に筐体外部からの水が直接に当たったり、虫や塵芥等が入り込むのを防止できる水抜き構造を提供することにある。
【課題を解決するための手段】
【００１１】
本発明は、上記目的を達成するために、下記［１］〜［６］の水抜き構造を提供する。
【００１２】
［１］筐体の底壁に設けられた水抜き穴から水を排出する水抜き構造であって、
前記水抜き穴の内壁又は前記底壁の筐体外面に上端部が連結されて設置される排水管と、
前記排水管の管内に下端部が位置し、前記水抜き穴の内壁、前記底壁の筐体外面又は前記排水管の管内に、開口した上端部が連結されて設置される弁とを備え、
前記弁は、前記下端部が通常時には閉じており、前記弁の内部に所定量の水が溜まることにより開放されて水を排出することを特徴とする水抜き構造。
【００１３】
［２］前記弁は、中空のラッパ形状、中空の円錐形状、又は中空の多角錐形状であることを特徴とする前記［１］に記載の水抜き構造。
【００１４】
［３］前記排水管は、当該排水管の排出穴を上方向へ向ける第１のターン部を有しており、前記排出穴が前記弁の最下部よりも低いことを特徴とする前記［１］又は前記［２］に記載の水抜き構造。
【００１５】
［４］前記排水管は、前記第１のターン部により上方向へ向けられた前記排出穴を下方向へ向ける第２のターン部を有しており、前記第２のターン部の最上部が前記弁の最下部よりも低いことを特徴とする前記［３］に記載の水抜き構造。
【００１６】
［５］前記弁は、前記下端部の先端にスリットが設けられていることを特徴とする前記［１］乃至［４］の何れか１つに記載の水抜き構造。
【００１７】
［６］前記水抜き穴を塞ぐことなく覆うように前記底壁の筐体内面に設置され、かつ前記水を排出するための１つ又は複数の開口部を側壁に有するケースを備えることを特徴とする前記［１］乃至［５］の何れか１つに記載の水抜き構造。
【発明の効果】
【００１８】
本発明によれば、簡易な構造でありながら、筐体内の水を排出することができ、かつ、筐体内の機器類に筐体外部からの水が直接に当たったり、虫や塵芥等が入り込むのを防止できる水抜き構造を提供することができる。
【図面の簡単な説明】
【００１９】
【図１】本発明の第１の実施の形態に係る水抜き構造の外観を示す斜視図である。
【図２】（ａ）は、図１における弁の形態を示す斜視図であり、（ｂ）は、（ａ）に記載の弁の変形例を示す斜視図である。
【図３】図１に記載の水抜き構造の変形例の外観を示す斜視図である。
【図４】図１における弁の先端部の形態の変形例を示す正面図である。
【図５】（ａ）は、図１におけるＡ−Ａ線切断部端面図であり、（ｂ）は、（ａ）の第１の変形例を示す切断部端面図であり、（ｃ）は、（ａ）の第２の変形例を示す切断部端面図であり、（ｄ）は、（ａ）の第３の変形例を示す切断部端面図である。
【図６】水の排出時における弁の動作を示す説明図である。
【図７】本発明の第２の実施の形態に係る水抜き構造の外観を示す斜視図である。
【図８】（ａ）は、図７におけるＡ方向から見た正面図であり、（ｂ）は、図７におけるＢ方向から見た正面図（Ａ方向から見た場合の右側面図）である。
【図９】（ａ）及び（ｂ）は、図８の第１の変形例を示す正面図である。
【図１０】（ａ）及び（ｂ）は、図８の第２の変形例を示す正面図である。
【発明を実施するための形態】
【００２０】
〔本発明の第１の実施の形態〕
（水抜き構造の構成）
図１は、本発明の第１の実施の形態に係る水抜き構造の外観を示す斜視図である。図２（ａ）は、図１における弁の形態を示す斜視図である。また、図２（ｂ）は、（ａ）に記載の弁の変形例を示す斜視図である。また、図３は、図１に記載の水抜き構造の変形例の外観を示す斜視図である。
【００２１】
本実施の形態に係る水抜き構造１は、筐体の底壁１００に設けられた水抜き穴１０１から水を排出する水抜き構造であって、水抜き穴１０１から排出される水が連結部から漏れないように水抜き穴１０１の内壁又は底壁１００の筐体外面に管の上端部が連結されて設置される排水管１０と、排水管１０の管内に下端部が位置するように、かつ、水抜き穴１０１から排出される水が連結部から漏れないように、水抜き穴１０１の内壁、底壁１００の筐体外面又は排水管１０の管内に、開口した上端部が連結されて設置される弁２０とを備える。
【００２２】
水抜き構造１における弁２０は、下端部が通常時には閉じており、弁の内部に所定量の水が溜まることにより開放されて水を排出する機能を有するものであり、図１及び図２（ａ）に示されるように、中空のラッパ形状である。
【００２３】
弁の形状は、中空のラッパ形状に限定されるものではなく、例えば、図２（ｂ）に示されるように、中空の円錐形状の弁２１であってもよく、また、図３に示されるように、４角形の水抜き穴１０２及び４角柱形状の排水管１１を用いた場合には、中空の４角錐形状などの多角錐形状であってもよい。なお、図３では単なる４角錐形状ではなく、ラッパ形状にした４角錐形状の弁２２を示した。
【００２４】
弁２０〜２２の長さは、排水管１０の管内に下端部が位置するような長さであればよく、例えば、２〜７ｃｍ程度が好ましく、３〜６ｃｍ程度がより好ましい。
【００２５】
弁２０〜２２の材質は、種々の材質を用いることができるが、特に、ゴムなどの弾性体が弁の機能を効率的に果たす点で好ましい。
【００２６】
弁２０〜２２は、水抜き穴１０１から排出される水が連結部から漏れないように、水抜き穴１０１の内壁、底壁１００の筐体外面又は排水管１０の管内に、開口した上端部が連結されて設置されるが、設置する方法は、溶接、接着剤による接着等の種々の方法を用いることができる。
【００２７】
図４は、図１における弁の先端部の形態の変形例を示す正面図であり、弁は、図４に示されるように、下端部の先端にスリット２３ａが設けられている弁２３としてもよい。先端にスリット２３ａが設けられることで、スリットを設けない場合に比べて、より少量の水で水が排出可能となる。スリットの長さは、例えば、０．５〜２ｃｍとする。
【００２８】
図５（ａ）は、図１におけるＡ−Ａ線切断部端面図であり、（ｂ）〜（ｄ）のそれぞれは、（ａ）の変形例を示す切断部端面図（但し、図５（ｃ）の排水管１３の部分は概略構成図）である。
【００２９】
水抜き構造１における排水管１０は、水抜き穴１０１から排出される水が連結部から漏れないように水抜き穴１０１の内壁又は底壁１００の筐体外面に管の上端部が連結されて設置されるものであり、図１及び図５（ａ）に示されるように、直線状の円筒形状の管である。
【００３０】
排水管の形状は、直線状の円筒形状に限定されるものではなく、前述の図３に示される四角柱形状など種々の形状をとり得る。例えば、図５（ｂ）に示される排水管１２のように、水を外部へ排出する排出穴１２ａを上方向へ向けるターン部を有しており、排出穴１２ａが弁２０の最下部２０ａよりも低い形状とすることができる。
【００３１】
また、排水管の形状は、図５（ｃ）、（ｄ）に示される排水管１３，１４ように、ターン部により下方向から上方向へ向けられた排出穴を再び下方向へ向けるターン部を有しており、再び下方向へ向けるターン部の最上部が弁２０の最下部２０ａよりも低い形状とすることもできる。
【００３２】
排水管１２〜１４は、ターン部に弁２０から排出された水や外部からの水を溜めることができ、これにより外部からの水や虫等をブロックすることができる。
【００３３】
また、排水管１０〜１４は、排出穴に向かうほど徐々に細くする形状とすることもできる。これにより外部からの水や虫等が入りづらくすることができる。
【００３４】
排水管１０の長さは、例えば、３〜１０ｃｍ程度が好ましく、３〜８ｃｍ程度がより好ましい。
【００３５】
排水管１０〜１４の材質は、金属、合成樹脂等を用いることができる。
【００３６】
排水管１０〜１４は、水抜き穴１０１から排出される水が連結部から漏れないように水抜き穴１０１の内壁又は底壁１００の筐体外面に管の上端部が連結されて設置されるが、設置する方法は、溶接、接着剤による接着等の種々の方法を用いることができる。
【００３７】
なお、本実施の形態に係る水抜き構造は、アンテナ等の電子機器類を収容する筐体のほか、屋外へ設置する種々の筐体に適用可能である。筐体の底壁１００に設けられた水抜き穴１０１の直径は、通常、２ｍｍ〜２０ｍｍ程度であるが、これに限定されるものではない。また、穴の形状も円形に限られず、前述の図３に示される四角形など種々の形状をとり得る。
【００３８】
（水の排出時における弁の動作）
図６は、水の排出時における弁の動作を示す説明図である。
弁２０を使用した場合を例に説明すると、水抜き穴１０１から排出された水４０が弁２０の内部に所定量、溜まることで、水に働く重力により、図６（ａ）のように下端部が閉じていた状態から、図６（ｂ）のように下端部が開放されて水４０が排出される。
【００３９】
通常時は、弁２０の下端部は閉じているため、外部からの水や虫等をブロックすることができる。
【００４０】
（本発明の第１の実施の形態の効果）
本実施の形態によれば、以下の効果を奏する。
（１）簡易な構造でありながら、筐体内で発生した水を排出することができ、かつ、筐体内の機器類に筐体外部からの水が直接に当たったり、虫や塵芥等が入り込むのを防止できる水抜き構造を提供することができる。
【００４１】
〔本発明の第２の実施の形態〕
（水抜き構造の構成）
図７は、本発明の第２の実施の形態に係る水抜き構造の外観を示す斜視図である。図８（ａ）は、図７におけるＡ方向から見た正面図であり、（ｂ）は、図７におけるＢ方向から見た正面図（Ａ方向から見た場合の右側面図）である。また、図９〜１０は、本発明の第２の実施の形態に係る水抜き構造の変形例を示す図である。
【００４２】
本発明の第２の実施の形態に係る水抜き構造は、水抜き穴１０１を塞ぐことなく覆うように底壁１００の筐体内面に設置され、かつ水を排出するための１つ又は複数の開口部を側壁に有するケースを備えること以外は、前述の第１の実施の形態に係る水抜き構造と同様である。
【００４３】
図７〜１０の水抜き構造６〜８は、水抜き構造１を利用するものであるが、水抜き構造２〜５を利用するものであってもよい。
【００４４】
ケース３０は、図７等に示されるように、筐体内から水を排出する水抜き穴１０１の直上に設置される直方体形状のケースである。直方体形状の側壁の１つの一部が開口されて開口部３０ａが形成されている。また、ケース３０は、底壁の全体が開口しているため、水抜き穴１０１を塞ぐことなく覆うことができる。開口部３０ａ以外の部分は、水の浸入や虫などの侵入を阻止するために隙間無く形成されている。
【００４５】
なお、開口部３０ａの形状、大きさ等は特に限定されるものではなく、水抜き穴１０１へ水を流すことが可能な形態であればよい。
【００４６】
また、側壁に複数の開口部を設けてもよく、例えば、図９に示される水抜き構造７では、１つの側壁に開口部３１ａを設け、別の側壁に開口部３１ｂを設けたケース３１を使用し、図１０に示される水抜き構造８では、１つの側壁に開口部３２ａを設け、別の側壁に開口部３２ｂ及び３２ｃを設けたケース３２を使用している。
【００４７】
また、ケース３０〜３２は、直方体形状の底壁の全体が開口している形態に限られるものではなく、水抜き穴１０１を塞ぐことなく開口部３０ａ等からケース３０〜３２内に流れ込んだ水を水抜き穴１０１へ流すことが可能な形態であれば、底壁の一部のみを開口した形態であってもよい。
【００４８】
また、ケース３０〜３２は、直方体（立方体含む）形状に限られず、多角柱、多角錐、円柱、円錐、半球等の形状であってもよい。
【００４９】
ケース３０〜３２の大きさは、水抜き穴１０１を覆うことができ、かつ、筐体内で邪魔にならない程度の大きさであれば特に限定されるものではない。
【００５０】
ケース３０〜３２の材質としては、金属、合成樹脂等を用いることができる。
【００５１】
ケース３０〜３２を筐体の底壁１００に設置する方法は、溶接、接着剤による接着等の種々の方法を用いることができる。ケース３０〜３２の側壁は、水の浸入や虫などの侵入を阻止するために筐体の底壁１００（筐体内面１００Ａ）に隙間無く設置される。
【００５２】
（本発明の第２の実施の形態の効果）
本実施の形態によれば、以下の効果を奏する。
（１）簡易な構造でありながら、筐体内で発生した水を排出することができ、かつ、筐体内の機器類に筐体外部からの水が直接に当たったり、虫や塵芥等が入り込むのを防止できる水抜き構造を提供することができる。
【００５３】
（２）ケース３０〜３２が設置されているため、ケース３０〜３２を超えて筐体内に水が浸入することが困難となるので、本発明の第１の実施の形態よりもさらに確実に筐体内の機器類に筐体外部からの水が直接に当たることを防止できる。
【００５４】
以上、本発明の実施の形態を説明したが、本発明は、これらの実施の形態に限定されず、発明の主旨を逸脱しない範囲内において種々変形実施が可能である。
【符号の説明】
【００５５】
１００：筐体の底壁、１０１，１０２：水抜き穴
１〜８：水抜き構造
１０〜１４：排水管
２０〜２３：弁
２３ａ：スリット
３０〜３２：ケース
３０ａ，３１ａ〜３１ｂ，３２ａ〜３２ｃ：開口部
【図１】
2013065788.tif 000003
【図２】
2013065788.tif 000004
【図３】
2013065788.tif 000005
【図４】
2013065788.tif 000006
【図５】
2013065788.tif 000007
【図６】
2013065788.tif 000008
【図７】
2013065788.tif 000009
【図８】
2013065788.tif 000010
【図９】
2013065788.tif 000011
【図１０】
2013065788.tif 000012